(57)【要約】      （修正有）【課題】安全ベスト着用時に、表面に設けられた光反射材の存在によって、着用者の発した熱或いは汗の発散除去が充分に行なわれず、着用感を悪くすることを防止する安全ベストを提供する。【解決手段】身頃地の表面に光反射部材を、身頃地の裏面に保水性部材を、それぞれ上下方向に延在するよう帯状に設け、前記保水性部材の端部には、該端部を覆ってカバー体を設け、保水滞溜袋とした。保水性部材から滲出した余剰水分を保水滞溜袋内に貯溜することで身体周辺を過湿化することを防ぎ、光反射部材と保水性部材とは身頃生地の表裏面に、身頃生地を挟んで積層状態に設けることで身頃生地の通気性を損なう面積を少なくしている。また、身頃生地は経編メッシュ地とし通気性を保っている。【選択図】図１
0003148672.tif 000002
【実用新案登録請求の範囲】
【請求項１】
身頃地の表面に光反射部材を、身頃地の裏面に保水性部材を、それぞれ上下方向に延在するよう帯状に設け、前記保水性部材の端部には、該端部を覆ってカバー体を設け、保水滞溜袋としたことを特徴とする安全ベスト。
【請求項２】
光反射部材と保水性部材とは身頃生地の表裏面に、身頃生地を挟んで積層状態に設けられているこことを特徴とする請求項１記載の安全ベスト。
【請求項３】
身頃地は経編メッシュ地よりなることを特徴とする請求項１記載の安全ベスト。
【請求項４】
光反射部材は、光反射シートの反射面とベース材とを重ね合わせた合成樹脂シートよりなる帯状体を身頃地表面に固定したことを特徴とする請求項１記載の安全ベスト。
【請求項５】
保水性部材は、不織布よりなり、多孔性組織の生地よりなる外被で覆われていることを特徴とする請求項１記載の安全ベスト。
【請求項６】
保水性部材は、アクリルを主体とした親水性樹脂綿であり、かつ、多孔性組織の生地よりなる外被で覆われており、水分の蒸発によって冷却効果を発揮することを特徴とする請求項５記載の安全ベスト。
【考案の詳細な説明】
【技術分野】
【０００１】
本考案は、光反射部材を有し、夜間着用時、該光反射部材の反射光により、着用者の存在を明らかにする安全ベストに関する。
着用時、身体周囲の温度上昇を防止するため保水性部材に含ませた水分の蒸発による冷却効果を得ようとする際に、保水性部材に含ませた水分の量が過多であった場合に、それを受ける手段を設けることによって使用上の不快感をなくすことを可能にしたことを特徴としている。
【背景技術】
【０００２】
従来、工事従事或いは交通整理等に携わる者の夜間の安全を保つためにベストに光反射材を取り付けて、夜間の視認性を良くした安全ベストが知られている（特許文献１）。これらの安全ベストの１例をあげると、後身頃地から前身頃にかけて肩部を経て帯状体を襷状に配し、かつ、後身頃から前身頃にかけて構成した腰部を巡る帯状体によりベストを身体に固定するもので、前記帯状体には反射材を取り付けてある。
【０００３】
然し、前記構成のベストは、光反射材を前後身頃及び腰部回りに固定しており、かつ、光反射材は冬期の使用において硬くならず、夏期の使用にあっても高い反射効率を保つように原反にポリエチレン，ポリプロピレン等の合成樹脂シートを用いているため、身頃地をネット状とし通気性，透湿性を確保するようにしているが、腰回り及び、前後身頃に襷掛けに設けた光反射材のために通気性，透湿性が損なわれることになる。反射ベストの使用状況を見ると昼間７０％、夜間３０％の使用頻度であり、夏期は炎天下の作業となるが多い。この炎天下での熱射対策として有効な手段が必要とされている。反射ベストはほとんどの場合、昼間，夜間兼用として使用されている。
【特許文献１】特許第３０３５４０６号公報
【考案の開示】
【考案が解決しようとする課題】
【０００４】
本考案は、上記の点に鑑みて、安全ベスト着用時に、安全ベスト表面に設けられた光反射材の存在によって、着用者の発した熱或いは汗の発散除去が充分に行なわれず、着用感を悪くすることを防止するのを目的としている。即ち、光反射材を設けた部分内面に冷却手段を配することによって上記目的を達成している。
【課題を解決するための手段】
【０００５】
本考案安全ベストは、身頃地の表面に光反射部材を、身頃地の裏面に保水性部材を、それぞれ上下方向に延在するよう帯状に設け、前記保水性部材の端部には、該端部を覆ってカバー体を設け、保水滞溜袋とした。保水性部材から滲出した余剰水分を保水滞溜袋内に貯溜することで身体周辺を過湿化し使用感を悪くすることを防いでいる。
光反射部材と保水性部材とは身頃生地の表裏面に、身頃生地を挟んで積層状態に設けることで身頃生地の通気性を損なう面積を少なくしている。また、身頃生地は経編メッシュ地とし通気性を保っている。
光反射部材は、光反射シートの反射面とベース材とを重ね合わせた合成樹脂シートよりなる帯状体を身頃地表面に固定することで、光反射部材の冬期の硬質化を防ぎ、夏期の光反射効率の低下を防止している。
保水性部材は、不織布よりなり、多孔性組織の生地よりなる外被で覆うことにより保水性部材の崩れを防止している。
【考案の効果】
【０００６】
本考案安全ベストは、身頃地表面に配した光反射部材に対位して、前記身頃地裏面の身体側に保水性部材を配した構造であり、使用時には予め安全ベストを水中に浸すなどして保水性部材に吸水させてから着用することにより、着用後の安全ベスト着用者の体温による保水性部材の加温により保水性部材が含んでいる水分の蒸散が生じるために保水性部材の温度が低下し、着用時の安全ベストの温度上昇が防止される。
そして、前記保水性部材には、その端部を覆ってカバー体を設け、保水滞溜袋としたために、過剰な水分が供給された際は過剰水分は保水滞溜袋内に溜まり保水性部材から着用者側への滲出を阻止することが出来るため水分のオーバーフィード状態となっても着衣を濡らし使用感を悪くすることはない。
また、身頃生地が経編メッシュ地であるために通気性に勝れているため着用時の安全ベスト内面の温度上昇を防止できる。
【考案を実施するための最良の形態】
【０００７】
本考案安全ベストの最良の形態につき以下図面と共に説明する。
図１，２は安全ベストの正面図及び背面図、図３，４は本考案安全ベストの展開した状態の表面図及び裏面図である。
安全ベスト１は、身体の背中部分を覆う後身頃２の下端縁に、着用者の背面から脇部をめぐる後身頃帯状体３を設けると共に、後身頃２の上端の両肩部４のそれぞれからは前身頃５として延びる左右の垂下帯状体６，７を設け、垂下帯状体６，７の端部には、垂下帯状体６，７に対し９０°屈曲した状態に左右の前身頃帯状体８，９を延設してなる。前記後身頃帯状体３の両端部裏面にはそれぞれ面ファスナー３ａ，３ｂを設ける。
前身頃左帯状体８の両端裏面には、面ファスナー８ａ，８ｂを、前身頃右帯状体９の先端裏部には面ファスナー９ａを、反対端表面には面ファスナー９ｂをそれぞれ設ける。
【０００８】
上記した後身頃帯状体３を有する後身頃２、及び、垂下帯状体６，７、前身頃左右帯状体８，９よりなる前身頃５を構成する１枚の身頃地１０の表面に帯状に光反射部材１１を設ける。光反射部材１１の配置は適宜で良いが、一例をあげると図３に示す如くである。即ち、光反射部材１１は後身頃２，後身頃帯状体３の長手中央、垂下帯状体６，７から左右帯状体８，９にまで延在させ、後身頃の背部には並列する２本の光反射部材１１間にそれらを横に連結する状態にも設けてある。反射部材１１の両側縁は縫着したヘム１１ａによって押さえられている。
【０００９】
上記光反射部材１１は、一面を光反射面１２とした反射シート１３を、前記光反射面１２とベース体１４とを重ね合わせてなり、ベース体１４を身頃地１０に縫着等して固定している。
【００１０】
身頃地１０の裏面には、保水性部材１５を、前記光反射部材１１と共に身頃地１０を挟む状態で、図４に示す帯状に設けている。
保水性部材１５は水保持能力の高い吸水性を有する例えば不織布等１６よりなり、その外周を多孔性組織の生地よりなる外被１７で覆ってなり前記した如き所定位置に適宜縫着等により固定されている。そして保水性部材１５の端部を外被で覆って保水滞溜袋１８としている。
【００１１】
本考案の安全ベスト１を着用する際は、光反射部材１１を表面に位置させて、安全ベスト１の肩部４，４を着用者の肩にかけ、前身頃５を着用者の前に垂下し、後身頃２を着用者の後に垂下し、後身頃帯状体３の端部の面ファスナー３ｂと前身頃左帯状体８の面ファスナー８ａとを係止し、同様に後身頃帯状体３の端部の面ファスナー３ａと前身頃右帯状体９の面ファスナー９ａとを係止し、前身頃右帯状体９の面ファスナー９ｂと前身頃左帯状体８の面ファスナー８ｂとを係止し、後身頃帯状体３と前身頃左右帯状体８，９を環状にして着用者の腰上腹部に固定する。
【００１２】
これにより安全ベスト１は、外面に光反射部材１１を、内面の身体側に保水性部材１５を位置させて着用することになり、夜間の着用により光が当てられた際にそれを反射することで注意を喚起し危険を避けることが出来る。そして、上記着用前には保水性部材１５に水分を適宜手段で吸水させておく。
保水性部材１５に吸水させた状態で安全ベスト１を着用した場合に、保水性部材１５に吸われている水分は着用者の体温により蒸発し、着用者の体温を奪うことになり体温の上昇を防止することになる。
保水性部材１５に吸収されている水分は、時間が経過すると共に使用者の体温を奪うことで蒸発し乾いてくるので適宜時間経過した後に再度保水性部材１５に吸水する。
【００１３】
上記の保水性部材１５への吸水を行った安全ベスト１を着用すると、蒸発により消費されなかった保水性部材１５内に残った水は、不織布等１６で構成された保水性部材１５内を次第に下位方向に流下し、不織布等１６の端部を覆って設けられている保水滞溜袋１８内に滞溜する。保水滞溜袋１８内の水分は、その上部の保水性部材１５の水分が蒸発により少なくなれば、袋１８内から上部の保水性部材１５内に吸い上げられる結果、最終的には袋１８内の水分は無となる。
【００１４】
上記保水滞溜袋１８が設けられていなければ過剰な水分は安全ベスト着用時に保水性部材１５の端縁から保水性部材１５外に流出し安全ベスト着用者の身体或いは着衣等を濡らすことになり、使用感を極めて悪いものとすることになる。
【図面の簡単な説明】
【００１５】
【図１】本考案安全ベストの正面図。
【図２】本考案安全ベストの背面図。
【図３】本考案安全ベストの展開した状態の表面図。
【図４】本考案安全ベストの展開した状態の裏面図。
【図５】本考案安全ベストの保水滞溜袋部分の拡大図。
【図６】図５のVI−VI線断面図。
【図７】光反射部材と身頃生地と保水性部材との重なりの状態を示す断面図。
【符号の説明】
【００１６】
１  安全ベスト
２  後身頃
３  後身頃帯状体
３ａ，３ｂ  面ファスナー
４  両肩部
５  前身頃
６，７  垂下帯状体
８，９  前身頃帯状体
８ａ，８ｂ  面ファスナー
１０  身頃生地
１１  光反射部材
１１ａ  ヘム
１２  光反射面
１３  反射シート
１４  ベース体
１５  保水性部材
１６  不織布等
１７  外被
１８  保水滞溜袋
【図１】
0003148672.tif 000003
【図２】
0003148672.tif 000004
【図３】
0003148672.tif 000005
【図４】
0003148672.tif 000006
【図５】
0003148672.tif 000007
【図６】
0003148672.tif 000008
【図７】
0003148672.tif 000009